(57)【要約】【課題】  利用者が容易に画像形成装置にフィルタを装着可能とする。【解決手段】  排気枠５に接触することにより、排気口３Ｃに対する本体部１１の位置を決める位置決め部１４を備えるフィルタホルダ１０を利用者に提供する。これにより、利用者は、フィルタホルダ１０を用いてフィルタ９を画像形成装置に装着すれば、フィルタ９を容易に適切な位置に装着することが可能となる。【選択図】  図６
2016161911.tif 000002
【特許請求の範囲】
【請求項１】
壁面から突出した排気枠を有する排気口を備える画像形成装置に適用され、当該排気口から排出される排気中から塵埃を除去するフィルタを当該画像形成装置に装着するためのフィルタホルダであって、
前記フィルタを保持する本体部と、
前記本体部に設けられた位置決め部であって、前記排気枠に接触することにより、前記排気口に対する当該本体部の位置を決める位置決め部と
を備えることを特徴とするフィルタホルダ。
【請求項２】
前記位置決め部は、
前記排気枠の一部と接触する第１当接部、及び
前記排気枠のうち前記第１当接部が接触する第１接触部と異なる第２接触部に接触する第２当接部を有しており、
前記第１接触部における接線を第１仮想接線とし、前記第２接触部における接線を第２仮想接線としたとき、前記第１仮想接線と前記第２仮想接線とは交差することを特徴とする請求項１に記載のフィルタホルダ。
【請求項３】
前記本体部は、
前記排気枠の外周側を覆うフィルタ枠、及び
前記フィルタ枠内に挿入された前記フィルタを前記排気枠側に押圧する押圧部
を有することを特徴とする請求項１又は２に記載のフィルタホルダ。
【請求項４】
前記押圧部は、前記フィルタ枠に対して揺動可能であることを特徴とする請求項３に記載のフィルタホルダ。
【請求項５】
前記フィルタ枠には、当該フィルタ枠内に挿入された前記フィルタの下端部に接触して当該フィルタを支持する支持部が設けられていることを特徴とする請求項３又は４に記載のフィルタホルダ。
【請求項６】
シートに画像を形成する画像形成部と、
前記画像形成部を収納するとともに、内部の空気を排出する排気口が設けられた筐体と、
前記筐体の壁面から突出した排気枠であって、前記排気口の外縁部を縁取る排気枠と、
請求項１ないし５のいずれか１項に記載のフィルタホルダと
を備えることを特徴とする画像形成装置。
【請求項７】
前記排気口には、複数の羽板を有する鎧窓状のルーバが設けられており、
前記複数の羽板それぞれの長手方向は、鉛直方向に対して傾いていることを特徴とする請求項６に記載の画像形成装置。
【発明の詳細な説明】
【技術分野】
【０００１】
本発明は、画像形成装置用のフィルタホルダに関する。
【背景技術】
【０００２】
画像形成装置には、特許文献１に示されるように、画像形成装置内の空気を排出する排気口が設けられている。
【先行技術文献】
【特許文献】
【０００３】
【特許文献１】特開２０１０−２０１４８３号公報
【発明の概要】
【発明が解決しようとする課題】
【０００４】
利用者の判断により、画像形成装置の排気口にフィルタを装着する場合がある。そこで、本発明は、利用者が容易にフィルタを装着可能とすることを目的とする。
【課題を解決するための手段】
【０００５】
本願に係る発明では、壁面（３Ｂ）から突出した排気枠（５）を有する排気口（３Ｃ）を備える画像形成装置（１）に適用され、当該排気口（３Ｃ）から排出される排気中から塵埃を除去するフィルタ（９）を当該画像形成装置（１）に装着するためのフィルタホルダであって、フィルタ（９）を保持する本体部（１１）と、本体部（１１）に設けられた位置決め部（１４）であって、排気枠（５）に接触することにより、排気口（３Ｃ）に対する当該本体部（１１）の位置を決める位置決め部（１４）とを備える。
【０００６】
これにより、本願発明では、利用者は、容易にフィルタ（９）を適切な位置に装着することが可能となる。
ところで、フィルタ（９）の装着位置が排気口（３Ｃ）に対して不適切な位置であると、画像形成装置（１）の排気能力が著しく低下するおそれがある。排気能力が著しく低下すると、画像形成装置（１）内の温度が過度に上昇するため、画像形成装置（１）が熱損傷してしまうおそれが高くなる。
【０００７】
これに対して、本願発明では、排気口（３Ｃ）に対して適切な位置にフィルタ（９）を容易に装着でき得るので、画像形成装置（１）の熱損傷等の発生を抑制できる。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【０００８】
【図１】本発明の実施形態に係る画像形成装置１の斜視図である。
【図２】排気口３Ｃの拡大図である。
【図３】Ａ及びＢはフィルタホルダ１０を装着した図である。
【図４】Ａはフィルタ９の斜視図である。Ｂはフィルタ９の側面図である。
【図５】押圧部１３を開いた状態を示す図である。
【図６】押圧部１３及びフィルタ９を取り外した状態を示す図である。
【図７】フィルタホルダ１０の裏面側斜視図である。
【図８】押圧部１３の裏面側斜視図である。
【図９】押圧部１３及びフィルタ９を取り外した状態を示す図である。
【発明を実施するための形態】
【０００９】
以下に説明する「発明の実施形態」は実施形態の一例を示すものである。つまり、特許請求の範囲に記載された発明特定事項等は、下記の実施形態に示された具体的手段や構造等に限定されるものではない。
【００１０】
本実施形態は、モノクロ方式の画像形成装置に本発明に係るフィルタホルダ及び画像形成装置を適用したものである。各図に付された方向を示す矢印等は、各図相互の関係を理解し易くするために記載したものである。本発明は、各図に付された方向に限定されるものではない。
【００１１】
少なくとも符号を付して説明した部材又は部位は、「複数」や「２つ以上」等の断りをした場合を除き、少なくとも１つ設けられている。以下、本発明の実施形態を図面と共に説明する。
【００１２】
（第１実施形態）
１．画像形成装置
図１に示すように、画像形成装置１の筐体３内には画像形成部２が収納されている。画像形成部２は用紙等のシートに画像を形成する。本実施形態に係る画像形成部２は電子写真方式である。
【００１３】
筐体３は、画像形成部２を収納して外観意匠面を構成するカバー３Ａ等を有している。当該カバー３Ａ（筐体３）の壁面３Ｂには排気口３Ｃが設けられている。排気口３Ｃは、筐体３内の空気を外部に排出するための開口である。
【００１４】
筐体３（カバー３Ａ）内には送風機（図示せず。）が設けられている。送風機は筐体３内の空気を吸い込んで外部に排出するための気流を発生させる。筐体３のうち排気口３Ｃが設けられた部位には排気枠５が設けられている。
【００１５】
排気枠５は、図２に示すように、壁面３Ｂから外部側に突出した突条の枠である。当該突条、つまり排気枠５は排気口３Ｃの外縁部を縁取るように閉曲線を描いている。なお、本実施形態に係る排気枠５は、矩形状の閉曲線を描いている。
【００１６】
排気枠５は、互いに平行でない第１枠部５Ａ及び第２枠部５Ｂを少なくとも有する。本実施形態では排気枠５は矩形状であるので、第１枠部５Ａ及び第２枠部５Ｂに加えて、第１枠部５Ａと平行な第３枠部５Ｃ、及び第２枠部５Ｂと平行な第４枠部５Ｄを有する。
【００１７】
排気口３Ｃには鎧窓状のルーバ７が設けられている。ルーバ７は、複数の羽板７Ａを有している。各羽板７Ａは、略帯板状であって、排気の向きを特定方向に転向させる。複数の羽板７Ａそれぞれの長手方向（延び方向ともう。）は、鉛直方向に対して傾いている。
【００１８】
２．フィルタホルダ
２．１  フィルタ
本実施形態に係る画像形成装置１には、図３Ａ及び図３Ｂに示すように、フィルタホルダ１０を介してフィルタ９（図３Ｂ参照）を装着することができる。フィルタ９は、排気口３Ｃから排出される排気中から塵埃等の浮遊物を除去する。
【００１９】
本実施形態に係るフィルタ９は、図４Ａに示すように、不織布や濾紙等のシート状部材が波状に折り曲げられた濾過部９Ａを有する。濾過部９Ａの周囲は、図４Ｂに示すように、帯状のバンド部９Ｂが接合されている。当該バンド部９Ｂにより濾過部９Ａの形状が維持される。
【００２０】
２．２  フィルタホルダ
＜フィルタホルダの本体部＞
フィルタホルダ１０は、図６に示すように、少なくとも本体部１１及び位置決め部１４を有している。本体部１１は、図５に示すように、フィルタ９を保持する。本実施形態に係る本体部１１は、フィルタ枠１２及び押圧部１３を有する。
【００２１】
フィルタ枠１２は、図６に示すように、排気枠５の外周側を覆う筒状（本実施形態では、角筒状）の部材である。なお、本実施形態に係るフィルタ枠１２は、その軸線方向一端側（本実施形態では、押圧部１３側）に向かうほど、断面積が縮小するテーパ状に形成されている。
【００２２】
押圧部１３は、フィルタ枠１２内に挿入されたフィルタ９を排気枠５（筐体３）側に押圧する。当該押圧部１３は、図８に示すように、枠部１３Ａ及覆い部１３Ｃを有している。覆い部１３Ｃには、スリット状（長穴状）の開口１３Ｂが多数設けられている。開口１３Ｂの長手方向は、フィルタ９がフィルタ枠１２内に収納された状態において、当該フィルタ９の折り目方向と交差する方向に一致する。
【００２３】
具体的には、フィルタ９がフィルタ枠１２内に収納された状態では、図５に示すように、フィルタ９の折り目方向は鉛直方向と一致し、開口１３Ｂの長手方向は、図３Ａに示すように、水平方向に一致する。
【００２４】
押圧部１３は、図５及び図３Ｂに示すように、フィルタ枠１２に対して揺動可能である。すなわち、枠部１３Ａには、図８に示すように、フィルタ枠１２と押圧部１３とを揺動可能に連結するためのヒンジ突起１３Ｅが少なくとも１つ（本実施形態では、２つ）設けられている。
【００２５】
一対のヒンジ突起１３Ｅは、枠部１３Ａに設けられた一対のヒンジ穴（図示せず。）に着脱自在に挿入可能な部位である。そして、一対のヒンジ突起１３Ｅが各ヒンジ穴から出没することにより、押圧部１３をフィルタ枠１２に対して揺動可能に連結する。
【００２６】
枠部１３Ａのうち覆い部１３Ｃを挟んで一対のヒンジ突起１３Ｅと反対側には、係止突起１３Ｆが少なくとも１つ設けられている。係止突起１３Ｆは、フィルタ枠１２の一端側を閉塞してフィルタ９を排気枠５側に押圧する状態を保持するための部位である。
【００２７】
係止突起１３Ｆは、フィルタ枠１２に設けられた被係止部（図示せず。）と係合する位置と当該位置からずれた位置との間で弾性変形可能である。なお、枠部１３Ａ、覆い部１３Ｃ、一対のヒンジ突起１３Ｅ及び係止突起１３Ｆは、樹脂にて一体成形されている。
【００２８】
フィルタ枠１２には、図５に示すように、少なくとも１つ（本実施形態では、２つ）の支持部１２Ａが設けられている。一対の支持部１２Ａは、フィルタ枠１２内に挿入されたフィルタ９の下端部に接触して当該フィルタ９を支持する。なお、本実施形態では、フィルタ枠１２、支持部１２Ａ及び位置決め部１４は、樹脂にて一体成形されている。
【００２９】
＜フィルタホルダの位置決め部＞
位置決め部１４は、本体部１１に設けられて排気口３Ｃに対する当該本体部１１の位置を決めるための部位である。すなわち、位置決め部１４は、図６に示すように、排気枠５に接触することにより本体部１１の位置を決める。
【００３０】
位置決め部１４は、図７に示すように、第１当接部１４Ａ及び第２当接部１４Ｂを有している。第１当接部１４Ａは、図９に示すように、排気枠５の一部（本実施形態では、第１枠部５Ａ）と接触する。
【００３１】
第２当接部１４Ｂは、排気枠５のうち第１枠部５Ａと異なる部位（本実施形態では、第２枠部５Ｂに接触する。第１枠部５Ａと第２枠部５Ｂとは、その延び方向が互いに交差する平行でない部位である。
【００３２】
つまり、第１枠部５Ａと第１当接部１４Ａとの接触部における接線を第１仮想接線Ｌ１とし、第２枠部５Ｂと第２当接部１４Ｂとの接触部における接線を第２仮想接線Ｌ２としたとき、第１仮想接線Ｌ１と第２仮想接線Ｌ２とは交差（本実施形態では、直交）する。
【００３３】
＜フィルタホルダの装着及びフィルタの組み込み＞
フィルタ枠１２のうち押圧部１３と反対側には、図７に示すように、筐体３の意匠面と面するフランジ面１２Ｂが設けられている。当該フランジ面１２Ｂには、予め両面テープ（図示せず。）が貼り付けられている。
【００３４】
フィルタ９を画像形成装置１に取り付けたい利用者は、図６に示すように、第１当接部１４Ａを第１枠部５Ａに接触させ、かつ、第２当接部１４Ｂを第２枠部５Ｂに接触させてフィルタ枠１２（本体部１１）の位置を決める。
【００３５】
その後、利用者は、両面テープの剥離紙を剥離して位置決めされた本体部１１を筐体３に貼り付け固定する。次に、利用者は、図５に示すように、フィルタ９の折り目が鉛直方向と一致するように、当該フィルタ９をフィルタ枠１２内に挿入する。
【００３６】
次に、利用者は、筒状のフィルタ枠１２を押圧部１３にて閉塞するようにフィルタ９を排気枠５側に押圧しながら押圧部１３をフィルタ枠１２に係合固定する。なお、この際、一対のヒンジ突起１３Ｅを各ヒンジ穴に事前に挿入しておき、その状態から押圧部１３を揺動させてフィルタ枠１２を閉塞すると、容易にフィルタ９を押圧しながら押圧部１３をフィルタ枠１２に係合固定でき得る。
【００３７】
３．本実施形態の特徴
本実施形態に係るフィルタホルダ１０は、排気枠５に接触することにより、排気口３Ｃに対する本体部１１の位置を決める位置決め部１４を備える。これにより、利用者は、容易にフィルタ９を適切な位置に装着することが可能となる。
【００３８】
ところで、フィルタ９の装着位置が排気口３Ｃに対して不適切な位置であると、画像形成装置１の排気能力が著しく低下するおそれがある。排気能力が著しく低下すると、画像形成装置１内の温度が過度に上昇するため、画像形成装置１が熱損傷してしまうおそれが高くなる。
【００３９】
これに対して、本実施形態では、排気口３Ｃに対して適切な位置にフィルタ９を容易に装着でき得るので、画像形成装置１の熱損傷等の発生を抑制できる。
本実施形態では、位置決め部１４は、第１当接部１４Ａ及び第２当接部１４Ｂを有し、かつ、第１当接部１４Ａに係る第１仮想接線Ｌ１と第２当接部１４Ｂに係る第２仮想接線Ｌ２とが交差する。これにより、壁状のカバー３Ａにおける位置を特定できるので、確実に位置決めすることが可能となる。
【００４０】
本実施形態では、本体部１１は、排気枠５の外周側を覆うフィルタ枠１２、及びフィルタ枠１２内に挿入されたフィルタ９を排気枠５側に押圧する押圧部１３を有する。これにより、上述したように、容易にフィルタ９をフィルタホルダ１０に組み付けることができ得る。
【００４１】
本実施形態では、排気口３Ｃに複数の羽板７Ａを有する鎧窓状のルーバ７が設けられており、複数の羽板７Ａそれぞれの長手方向は、鉛直方向に対して傾いている。
これにより、例えば、不織布等が波状に折り曲げられたフィルタ９の場合には、折り目と複数の羽板７Ａそれぞれの長手方向とが交差した状態となる。このため、フィルタ９の面状部位に排気を当てることが可能となるので、フィルタ９の目詰まりを抑制できる。
【００４２】
（その他の実施形態）
上述の排気枠５は矩形状であったが、本発明はこれに限定されるものではなく、例えば、円形や四角形以外の多角形状であってもよい。
【００４３】
上述の実施形態に係る位置決め部１４は、第１当接部１４Ａ及び第２当接部１４Ｂを有していたが、本発明はこれに限定されるものではなく、例えば、第１当接部１４Ａ及び第２当接部１４Ｂのうち少なくとも一方の当接部により構成された位置決め部等であってもよい。
【００４４】
上述の実施形態に係る押圧部１３はフィルタ枠１２に対して揺動可能であったが、本発明はこれに限定されるものではなく、例えば、フィルタ枠１２に対して着脱可能な構成、又はフィルタ枠１２に対して平行移動可能な構成等であってもよい。
【００４５】
上述の実施形態に係るフィルタホルダ１０は押圧部１３及び支持部１２Ａを有していたが、本発明はこれに限定されるものではなく、例えば、押圧部１３及び支持部１２Ａを廃止してもよい。
【００４６】
上述の実施形態に係るフィルタ９は、折り目を有する不織布にて構成されたものであったが、本発明はこれに限定されるものではなく、スポンジ等の多孔質弾性体にて構成されたフィルタであってもよい。
【００４７】
上述の実施形態では、フィルタ９の折り目が鉛直方向に一致するように組み込まれていたが、本発明はこれに限定されるものではなく、例えば、当該折り目が水平方向に一致するように組み込まれた構成であってもよい。
【００４８】
上述の実施形態では、モノクロ方式の画像形成装置１に本発明に係るフィルタホルダ及び画像形成装置を適用したが、本発明はこれに限定されるものではなく、例えばカラー方式の画像形成装置にも本発明を適用できる。
【００４９】
また、本発明は、特許請求の範囲に記載された発明の趣旨に合致するものであればよく、上述の実施形態に限定されるものではない。
【符号の説明】
【００５０】
１… 画像形成装置  ２… 画像形成部  ３… 筐体  ３Ａ… カバー
３Ｂ… 壁面  ３Ｃ… 排気口  ５… 排気枠  ５Ａ… 第１枠部
５Ｂ… 第２枠部  ５Ｃ… 第３枠部  ５Ｄ… 第４枠部
７… ルーバ  ７Ａ… 羽板  ９… フィルタ  ９Ａ… 濾過部
９Ｂ… バンド部  １０… フィルタホルダ  １１… 本体部
１２… フィルタ枠  １２Ａ… 支持部  １２Ｂ… フランジ面
１３… 押圧部  １３Ａ… 枠部  １３Ｂ… 開口  １３Ｃ… 覆い部
１３Ｅ… ヒンジ突起  １３Ｆ… 係止突起  １４… 位置決め部
１４Ａ… 第１当接部  １４Ｂ… 第２当接部
【図１】
2016161911.tif 000003
【図２】
2016161911.tif 000004
【図３】
2016161911.tif 000005
【図４】
2016161911.tif 000006
【図５】
2016161911.tif 000007
【図６】
2016161911.tif 000008
【図７】
2016161911.tif 000009
【図８】
2016161911.tif 000010
【図９】
2016161911.tif 000011